(57)【要約】【課題】本発明は、刈払機のコード繰出し装置およびコード繰出し装置におけるコード配索方法であり、埃、土、刈取る草等が外部からリール内に侵入せずに、コードの繰出操作や収納操作、刈払機自体の駆動が円滑であり、故障が少なく、保守、点検が容易であり、コードの挿入、導通操作が迅速かつ確実で２層に振り分けて捲回操作が行える。【解決手段】外装ケース５の下方にスプリング１５により付勢し突出される押圧部１４と中仕切部１２ｃを介して２層のコード捲回部１３ａ,１３ｂに区分されるリール部材１２とを一体に形成し、外装ケースの回転を伝達または解除する係合機構２２と、押圧部の上昇時にリール部材をコードの緩み方向に回転させる歩進機構２５とを備え、外装ケースの外周にコード挿通孔１１を対向して設け、中仕切部にコード挿通孔に近接し振分案内手段１７を有するコード案内孔１８ａ,１８ｂを押圧部の直径方向Ｉに略一直線に設けた。【選択図】図１
2005124501.tif 000002
【特許請求の範囲】
【請求項１】
主力軸に取付けられる回転可能な外装ケースと、該外装ケースに内にスプリングにより付勢して内装され、前記外装ケースの下方に突出される押圧部と該押圧部に一体に形成され、前記出力軸に対して回転自在にかつ軸方向に摺動可能に設けられコードが中仕切部を介して２層に捲回可能な上下のコード捲回部に区分されるリール部材と、前記外装ケースと前記リール部材との間にて前記外装ケースの回転を伝達または解除する係合機構と、前記押圧部の上昇時に前記リール部材をコードの緩み方向に回転させる歩進機構とを備え、前記外装ケースの外周には直径方向にコード挿通孔を対向して設け、前記中仕切部には外装ケースの回転軸線に対する交叉方向に前記コード挿通孔に近接して上下にコードを振分ける振分案内手段を有するコード案内孔を前記押圧部の直径方向にわたり略一直線に設けたことを特徴とした刈払機のコード繰出し装置。
【請求項２】
前記外装ケースは、立壁部を外周に有する扁平な略皿状のケース本体と、該ケース本体に着脱可能に被冠して取付けられる扁平な略椀状のケース蓋とにより形成されることを特徴とする請求項１に記載の刈払機のコード繰出し装置。
【請求項３】
前記振分案内手段は、リール部材の上下のフランジの略中間に該フランジと略同径であるか僅かに小径をなして径方向に形成される前記中仕切部と、該中仕切部の幅方向の略全域にわたりコードの捲付方向に向けて上方または下方の前記コード捲回部の何れか一方に
連設され、開放されたスリット状部を介して設けられたコード案内孔と、該スリット状部とは反対側の他方にて閉鎖する閉鎖壁面とにより形成されることを特徴とした請求項１または請求項２に記載の刈払機のコード繰出し装置。
【請求項４】
前記振分案内手段は、前記押圧部の上端に対向して設ける挿入孔内に嵌入し、突出される両端部が前記コード案内孔間に配置され、前記スプリングの下端が着座する直線状の管状止ピンと、該管状止ピン内にコード案内孔から押圧部の直径方向にわたり略一直線にコードが挿通されることを特徴とした請求項１,請求項２,請求項３に記載の刈払機のコード繰出し装置。
【請求項５】
外装ケースの外周に直径方向に対向して設けたコード挿通孔と、前記外装ケース内に回転自在にかつ軸方向に摺動可能に設ける押圧部に一体形成されたリール部材の上下のフランジ間に径方向に形成する中仕切部に前記コード挿通孔に近接して設けたコード案内孔とを一致する工程と、コードの一端を一方の前記コード挿通孔から挿入して前記コード案内孔を介して前記押圧部の直径方向にわたり略一直線に挿通して他方の前記コード案内孔およびコード挿通孔から引き出す工程と、その後に前記外装ケース内に前記リール部材を収容した状態で捲取側に回転することにより該リール部材に前記中仕切部を介して設けた上下２層のコード捲回部に振分案内手段を介してコードの略中間部からコードの両自由端側を所望数回捲回することを特徴とした刈払機のコード繰出し装置におけるコード配索方法。
【発明の詳細な説明】
【技術分野】
【０００１】
本発明は、刈払機のコード繰出し装置およびコード繰出し装置におけるコード配索方法に関するものである。
【背景技術】
【０００２】
従来、長尺の柄管の基端部に原動機を取付けるとともに、柄管の先端部にはギヤーハウジングを介して外装体を取付け、該外装体より半径方向に導出される合成樹脂のコードを外装体の遠心力を利用して草、芝等の刈払作業を行う刈払機として、例えば周壁をなくした扁平な略皿状のケース本体の中央に縦状溝を軸方向に対向して有する小径な軸受けを立設し、上面に扁平な支持フランジを有するリールの中央に設けた大径な筒体を前記軸受に回転自在に嵌入し、該筒体には前記ケース本体に平面略１８０°の位置に対称的に丸棒或いは管材等の長細材を鋭角に設けた山形の１対の案内体から臨まれる通し穴を内径部をはずして回転軸線に直交し貫通するように設け、両端を前記軸受けの縦状溝内に嵌入し、突出する止ピンを上端部の適所に貫通した主軸を前記軸受に挿嵌し、キャップを前記軸受に螺設し、前記主軸と前記キャップとの間にコイルスプリングを介装して前記主軸に付勢力を付与し、前記止ピンを係合案内可能な爪と爪押よりなるラチェット形式の歩進機構を前記筒体の内側の上下に設け、通し穴の一方と他方とを仕切るように２個所の係止片に係止可能とすることにより補助フランジを筒体に揺動可能に嵌挿するようにしたものがある。
【０００３】
そして、使用にあたり、コードを案内体より通し穴に通してコードの略中央にケース本体が来るようにする。その後、リールを反時計方向に回動することにより、歩進機構の爪により止ピンを移動し、主軸にてコイルスプリングを押圧してリールを回動することにより補助フランジを揺動することにより外装ケースを分解してリールを外部に取出すことなく上下にコードを二分して筒体上に捲回する。この時、歩進機構の爪の谷に位置する止ピンをコイルスプリングの付勢力により噛合することによりリールの正回転を制止し、逆回転（反時計方向）の回転を許容して筒体上に捲回したコードを適量出して使用に供するようにする。
【０００４】
また、ケース本体から出されるコードの長さが使用により短くなると、主軸を押すことにより止ピンを上昇させて爪押を押圧し、リールを回動して爪の山部に止ピンを位置させ、コードの引っ張りを止ピンが爪の谷部に移動する距離だけリールを回転させ、コードの長さを調整するものであった。
【特許文献１】実用新案登録第３００３９４５号公報
【発明の開示】
【発明が解決しようとする課題】
【０００５】
しかしながら、特許文献１に記載の上記従来の刈払機は、コードをリールに捲回して取付けたり、コードの長さが使用により短くなった場合に、コードをリールから適量出して長さを調整して使用に供するのに、外装ケースを分解してリールを外部に取出すことなく行えるという利点があるが、外装ケースは周壁をなくした扁平な略皿状のケース本体と、筒体を略中央に有する扁平な支持フランジとにより形成されリールが外部から露出する構造なので、埃、土、刈取る草、さらには草等に付着している露が外装ケースの外部からリール内に侵入し易くなり、使用時にリールからのコードの繰出操作や収納操作、しかも刈払機自体の駆動も円滑には行えずに故障し易くなり、保守、点検が容易には行えないという不都合を生じていた。
【０００６】
また、特許文献１に記載の上記従来の刈払機は、山形の１対の案内体から臨まれる通し穴を筒体の内径部をはずして回転軸線に直交し貫通するように平面円弧状に設けているので、刈払機の使用にあたり、コードをリールに捲回して取付けるのに、合成樹脂よりなるコードは平面円弧状の通し穴内に筒体の外周に臨まれる一端から一方の案内体を通じて挿入され、次いで通し穴の曲率に沿って内部に撓みながら導通されて行き、通し穴の他端から外部に導き出される構造であるため、コードを挿入、導通する場合にコードが引っ掛かり、コードの挿入、導通操作に多くの時間と手間がかかっていた。しかも、筒体に平面円弧状の通し穴を形成するのに、製作、加工が容易には行えず、製作コストは高価になっていた。
【０００７】
さらには、コードの取付時に、コードを筒体の上下に振り分けて捲回するために、通し穴の一方と他方とを仕切るように２個所に設けた係止片に係止可能とすることにより筒体に補助フランジを揺動可能に嵌挿するようにしたので、構造が複雑になって部品点数も多くなり、製作および組付けは容易には行えなかった。しかも、コードを上下に振り分けるのに、補助フランジを同じ振幅、ストロークにより規則的に揺動操作しなければ筒体に対してコードを上下に振り分けて確実に捲回操作することができないという不都合を生じていた。
【０００８】
本発明は上記従来の欠点を解決し、埃、土、刈取る草、さらには草等に付着している露が外部からリール内に侵入せずに、使用時にリールからのコードの繰出操作や収納操作、しかも刈払機自体の駆動が円滑に行え、故障が少なく、保守、点検が容易になり、製作、加工が簡単であり、コードの挿入、導通操作が多くの時間と手間がかからず、迅速かつ確実に行え、また、２層のリールの上下にコードを振り分けて確実に捲回操作することができ、さらには構造が簡単であり、部品点数も少なく製作および組付けは容易に行え、製作コストが安価な刈払機のコード繰出し装置およびコード繰出し装置におけるコード配索方法を提供することを目的とする。
【課題を解決するための手段】
【０００９】
本発明は上記従来の不都合を解決し、請求項１に記載の発明は、主力軸に取付けられる回転可能な外装ケースと、該外装ケースに内にスプリングにより付勢して内装され、前記外装ケースの下方に突出される押圧部と該押圧部に一体に形成され、前記出力軸に対して回転自在にかつ軸方向に摺動可能に設けられコードが中仕切部を介して２層に捲回可能な上下のコード捲回部に区分されるリール部材と、前記外装ケースと前記リール部材との間にて前記外装ケースの回転を伝達または解除する係合機構と、前記押圧部の上昇時に前記リール部材をコードの緩み方向に回転させる歩進機構とを備え、前記外装ケースの外周には直径方向にコード挿通孔を対向して設け、前記中仕切部には外装ケースの回転軸線に対する交叉方向に前記コード挿通孔に近接して上下にコードを振分ける振分案内手段を有するコード案内孔を前記押圧部の直径方向にわたり略一直線に設けたことを特徴としたという手段を採用した。
【００１０】
また、本発明の請求項２に記載の発明は、請求項１において、前記外装ケースは、立壁部を外周に有する扁平な略皿状のケース本体と、該ケース本体に着脱可能に被冠して取付けられる扁平な略椀状のケース蓋とにより形成されることを特徴とするという手段を採用した。
【００１１】
また、本発明の請求項３に記載の発明は、請求項１または請求項２において、前記振分案内手段は、リール部材の上下のフランジの略中間に該フランジと略同径であるか僅かに小径をなして径方向に形成される前記中仕切部と、該中仕切部の幅方向の略全域にわたりコードの捲付方向に向けて上方または下方の前記コード捲回部の何れか一方に連設され、開放されたスリット状部を介して設けられたコード案内孔と、該スリット状部とは反対側の他方にて閉鎖する閉鎖壁面とにより形成されることを特徴としたという手段を採用した。
【００１２】
また、本発明の請求項４に記載の発明は、請求項１,請求項２,請求項３において、前記振分案内手段は、前記押圧部の上端に対向して設ける挿入孔内に嵌入し、突出される両端部が前記コード案内孔間に配置され、前記スプリングの下端が着座する直線状の管状止ピンと、該管状止ピン内にコード案内孔から押圧部の直径方向にわたり略一直線にコードが挿通されることを特徴としたという手段を採用した。
【００１３】
また、本発明の請求項５に記載の発明は、外装ケースの外周に直径方向に対向して設けたコード挿通孔と、前記外装ケース内に回転自在にかつ軸方向に摺動可能に設ける押圧部に一体形成されたリール部材の上下のフランジ間に径方向に形成する中仕切部に前記コード挿通孔に近接して設けたコード案内孔とを一致する工程と、コードの一端を一方の前記コード挿通孔から挿入して前記コード案内孔を介して前記押圧部の直径方向にわたり略一直線に挿通して他方の前記コード案内孔およびコード挿通孔から引き出す工程と、その後に前記外装ケース内に前記リール部材を収容した状態で捲取側に回転することにより該リール部材に前記中仕切部を介して設けた上下２層のコード捲回部に振分案内手段を介してコードの略中間部からコードの両自由端側を所望数回捲回することを特徴としたという手段を採用した。
【発明の効果】
【００１４】
本発明の刈払機のコード繰出し装置およびコード繰出し装置におけるコード配索方法は、埃、土、刈取る草、さらには草等に付着している露が外部からリール内に侵入せずに、使用時にリールからのコードの繰出操作や収納操作、しかも刈払機自体の駆動が円滑に行え、故障が少なく、保守、点検が容易になり、製作、加工が簡単であり、コードの挿入、導通操作が時間と手間がかからず、迅速かつ確実に行え、また、コードを２層のリールの上下に振り分けて確実に捲回操作することができ、さらには構造が簡単であり、部品点数も少なく製作および組付けは容易に行え、製作コストが安価になる。
【発明を実施するための最良の形態】
【００１５】
以下、図面に従って本発明の最良とする実施の形態の具体例を説明する。
【００１６】
図１は本発明の刈払機のコード繰出し装置の実施形態１を示す拡大縦断面図、図２は同じく９０°方向を違えて切断した拡大縦断面図、図３は押圧部を押圧した状態の拡大縦断面図、図４は本実施形態のコード繰出し装置が組込まれる刈払機の全景を示す斜視図、図５は本実施形態１で使用される係合機構と歩進機構とを説明的に示し、コード繰出し装置の不使用時の断面図、図６はリール部材に対するコードの取付時に歩進機構の歩進爪が、外装ケースの内面上部に形成される押爪に噛合してリール部材の正回転を制止しながら逆方向回転を継続してコードをコード捲回部に捲回する状態の断面図、図７は同じくリール部材の押圧部を押圧して歩進機構の押爪に歩進爪が押圧される反力によりリール部材を歩進し、コードを繰り出す状態の断面図、図８は同じく歩進機構の押爪にリール部材の歩進爪が噛合ってリール部材を歩進する状態の断面図、図９は同じく押圧部の押圧を解除した状態の断面図、図１０はコードをリール部材に取付ける状態の説明的な正面図、図１１は同じくコードをリール部材に取付ける状態の説明的な背面図、図１２は同じくコードをリール部材に取付ける状態の説明的な水平拡大断面図、図１３はコードをリール部材に捲付ける状態の説明的な正面図、図１４は同じくコードをリール部材に捲付ける状態の説明的な背面図、図１５は同じくコードをリール部材に捲付ける状態の水平拡大断面図である。
【００１７】
１は本実施形態１の刈払機のコード繰出し装置であり、このコード繰出し装置１は長尺の柄管２の基端部に原動機３を取付け、柄管２の先端部にはギヤーハウジング４を介して外装ケース５が取付けられ、該外装ケース５より半径方向Ｒに導出される合成樹脂のコード６を外装ケース５の遠心力を利用して草、芝等の刈払作業を行うものである。
【００１８】
前記外装ケース５は、ギヤーハウジング４から回転自在に配設される主力軸７に回転可能にナット８等を介して取付けられる。また、外装ケース５は、立壁部９ａを外周に有する扁平な略皿状のケース本体９と、該ケース本体９に着脱可能に被冠して取付けられ、立壁部１０ａを有する扁平な略椀状のケース蓋１０とにより形成される。９ｂ,１０ｂは立壁部９ａ,１０ａに設けられ、着脱可能に係合される係合子である。また、Ｎはケース蓋１０に螺着される螺子キャップである。
【００１９】
１１はケース本体９の外周に、直径方向Ｉに対向して設けられた２個のコード挿通孔であり、このコード挿通孔１１,１１に対して取付時にコード６は挿通されたり、または使用時にコード６は繰り出される。
【００２０】
１２は前記出力軸７に対して回転自在にかつ軸方向Ｊに摺動可能に設けられるリール部材であり、このリール部材１２は上下のフランジ１２ａ,１２ｂの中間に該フランジ１２ａ,  １２ｂと略同径であるか、例えば図１,図２,図３,図４に示すように僅かに小径をなした中仕切部１２ｃを径方向に形成することにより、この中仕切部１２ｃを介して１本のコード６が２層に捲回可能な上下のコード捲回部１３ａ,１３ｂに区分される。
【００２１】
１４は前記リール部材１２の略中心下部に一体に形成される略有底筒状の押圧部であり、この押圧部１４は外装ケース５内にスプリング１５により付勢して内装されることにより前記外装ケース５の下方に突出される。
【００２２】
１６は前記中仕切部１２ｃに前記外装ケース５の回転軸線Ｏに対する交叉方向に設けられ、コード６を上下に振分けるための振分案内手段１７を有するコード案内孔であり、このコード案内孔１６は前記コード挿通孔１１に近接して前記押圧部１４の直径方向Ｉにわたり略一直線に設けられる。
【００２３】
前記振分案内手段１７は、リール部材１２の上下のフランジ１２ａ,１２ｂの略中間に該フランジ１２ａ,１２ｂと略同径であるか、または図１,図２,図３,図４に示すように僅かに小径に形成される前記中仕切部１２ｃと、該中仕切部１２ｃの幅方向の略全域にわたりコード６の捲付方向に向けて上方または下方の上下の前記コード捲回部１３ａ,１３ｂの何れか一方に連設され、開放されたスリット状部１８ａ,１８ｂを介して設けられた前記コード案内孔１６,１６と、該スリット状部１８ａ,１８ｂとは反対側の他方を該コード案内孔１６,１６を閉鎖するようになした湾曲した閉鎖壁面１９,１９とにより形成される。
【００２４】
また、前記振分案内手段１７は、前記押圧部１４の上端に対向して設ける挿入孔２０,２０内に嵌入し、突出される両端部２１ａ,２１ｂが前記コード案内孔１６,１６間に配置され、前記スプリング１５の下端が着座する直線状の管状止ピン２１と、前記コード案内孔１６,１６から押圧部１４の直径方向Ｉにわたり略一直線に挿通される前記管状止ピン２１内にコード６が挿通される。
【００２５】
２２は外装ケース５と前記リール部材１２との間に形成される係合機構であり、この係合機構２２はリール部材１２の内周下面に所望個数設けた係合凸部２３と外装ケース５の内面下部に所望個数設けられた係合凹部２４とにより形成され、前記外装ケース５の回転をリール部材１２に伝達または解除するためのものである。
【００２６】
２５は歩進機構であり、この歩進機構２５はリール部材１２の内周上面に形成される略鋸刃状をなし斜面部を有する歩進爪２６と外装ケース５の内面上部に形成される略鋸刃状をなし斜面部を有する押爪２７とにより形成され、歩進爪２６と押爪２７とは刈払機の使用に際し、斜面部の先端部がラップ間隔ｄだけ当接することにより、前記押圧部１４の上昇時に前記リール部材１２をコード６の緩み方向に１ステップ毎に回転させてコード６を所望長さ自動的に繰り出すためのものである。
【００２７】
本発明の刈払機のコード繰出し装置の実施形態１は以上の構成からなり、使用にあたり、合成樹脂よりなるコード６を取付けるのには、先ず押圧部１４を摘んでリール部材１２を回動することにより外装ケース５の外周に直径方向Ｉに対向して設けたコード挿通孔１１,１１と、外装ケース５内に回転自在にかつ軸方向Ｊに摺動可能に設ける押圧部１４に略水平方向に一体形成されたリール部材１２の上下のフランジ１２ａ,１２ｂ間に形成する中仕切部１２ｃに押圧部１４の直径方向Ｉにわたり対称的に設けたコード案内孔１６,１６とを一致させる。
【００２８】
それから、コード６を一方のコード挿通孔１１から挿入して行くと、このコード挿通孔１１に対してコード案内孔１６がリール部材１２の上下のフランジ１２ａ,１２ｂの略中間に該フランジ１２ａ,１２ｂと略同径、または図１,図２,図３,図４に示すように僅かに小径に形成された中仕切部１２ｃの幅方向の略全域にわたり近接して形成されているので、一方のコード挿通孔１１とコード案内孔１６とは隔たりや段差が生ずることなく一致するため、外装ケース５の周面に形成されるコード挿通孔１１は不用意に大径化されることなく小径に形成しても外装ケース５の内部に配置されているリール部材１２の中仕切部１２ｃに設けたコード案内孔１６およびその位置の確認が外装ケース５の外部から容易かつ確実に行える。
【００２９】
従って、コード６は一方のコード挿通孔１１内に挿入することによりコード挿通孔１１に近接して外装ケース５内のリール部材１２に設けたコード案内孔１６内へと円滑かつ確実に挿入されて行く。
【００３０】
そして、リール部材１２の中仕切部１２ｃに設けたこの一方のコード案内孔１６と、リール部材１２の直径方向Ｉに設けた他方のコード案内孔１６との間には、略有底筒状の押圧部１４の上端に対向して設けた挿入孔２０,２０内に直線状の管状止ピン２１の両端部２１ａ,２１ｂを嵌入し、突出され、しかもこの直線状の管状止ピン２１が、押圧部１４の直径方向Ｉにわたり平面略一直線に配置されるので、前述のように一方のコード挿通孔１１から近接するコード案内孔１６内に挿入されるコード６は、略一直線の管状止ピン２１内に押圧部１４の直径方向Ｉにわたり即座に略一直線に挿通され、さらに他方のコード案内孔１６から他方のコード挿通孔１１を経て外装ケース５の外部に迅速かつ確実に略半分の長さが引き出される。
【００３１】
この際、図５に示すようにリール部材１２の内周下面に所望個数設けた係合機構２２の係合凸部２３が外装ケース５の内面下部に所望個数設けた係合凹部２４に係合し、リール部材１２の内周上面に形成される略鋸刃状をなした歩進機構２５の歩進爪２６が外装ケース５の内面上部に形成される略鋸刃状の押爪２７にスプリング１５の付勢力により離れて係合が解除されているが、刈払機の使用に際し、歩進爪２６と押爪２７とは斜面部の先端部がラップ間隔ｄだけ確保されている。
【００３２】
その後、押圧部１４を摘んでスプリング１５の付勢力に抗して押圧部１４を矢印Ｐ方向に押圧しながら時計の針と逆方向Ｆ′に回動すると、リール部材１２の内周下面に所望個数設けた係合機構２２の係合凸部２３が、外装ケース５の内面下部に所望個数設けた係合凹部２４から係合が解除されることにより外装ケース５に対してリール部材１２の回転は許容されるため、前述のように一方のコード挿通孔１１、コード案内孔１６から管状止ピン２１を介して押圧部１４の直径方向Ｉに挿通され、他方のコード案内孔１６、コード挿通孔１１へと外部に引き出されて略中間部が挿通されているコード６は、リール部材１２の上下の前記コード捲回部１３ａ,１３ｂの何れか一方に開放されたスリット状部１８ａ,１８ｂを介して対称的に連設されたコード案内孔１６,１６の振分案内手段１７,１７としてのスリット状部１８ａ,１８ｂによりリール部材１２が回転するのに伴ってコード６は等量づつが案内され、振り分けられ、上下２層のコード捲回部１３ａ,１３ｂに略半分づつが捲回されて行く。
【００３３】
この時、図６に示すようにリール部材１２の内周上面に形成される略鋸刃状をなした歩進機構２５の歩進爪２６の斜面部が、外装ケース５の内面上部に形成される略鋸刃状の押爪２７の斜面部にスプリング１５の付勢力に抗して噛合状態になり、リール部材１２の矢印Ｆに示す正回転を制止しながら矢印のように時計の針と逆方向Ｆ′の回転だけを継続してコード６をコード捲回部１３ａ,１３ｂに全部捲回し、使用に供する。
【００３４】
このように、外装ケース５は、立壁部９ａを外周に有する扁平な略皿状のケース本体９と、該ケース本体９に着脱可能に被冠して取付けられ、立壁部１０ａを有する扁平な略椀状のケース蓋１０とにより形成されて平面直径方向Ｉに小さなコード挿通孔１１,１１が設けられているだけで周囲が閉塞されていても、外装ケース５を分解してリール部材１２を外部に取出すことなく、コード挿通孔１１,１１とコード案内孔１６,１６を一致し、その後にコード挿通孔１１,１１とコード案内孔１６,１６内にコード６を挿通してから、押圧部１４を摘んでリール部材１２を時計の針とは反対方向に外装ケース５の外部から回動操作するという簡単な取扱操作により短時間にて多くの労作がなく簡単にコード６を刈払機のリール部材１２に捲回して取付ることができる。
【００３５】
従って、特許文献１に記載の従来の刈払機のコード繰り出し装置では、外装ケースが周壁をなくした扁平な略皿状のケース本体と、筒体を略中央に有する扁平な支持フランジとにより形成されリールが外部から露出する構造により、埃、土、刈取る草、さらには草等に付着している露が外部からリール内に侵入し易くなるのとは異なり、コードの取付操作は円滑かつ確実に行える。
【００３６】
また、使用時に外装ケース５のコード挿通孔１１,１１よりコード６を繰り出すには、先ずスプリング１５の付勢力に抗して押圧部１４を地面に押付ける等して押圧すると、係合機構２２のリール部材１２の内周下面に所望個数設けた係合凸部２３が外装ケース５の内面下部に所望個数設けられた係合凹部２４から係合が解除されることにより外装ケース５に対してリール部材１２の回転を許容する。そして、リール部材１２の内周上面に形成される略鋸刃状をなし斜面部を有する歩進爪２６と外装ケース５の内面上部に形成される略鋸刃状をなし斜面部を有する押爪２７とは、歩進爪２６と押爪２７との斜面部の先端部がラップ間隔ｄだけ当接することにより、リール部材１２をコード６の矢印Ｆの緩み方向に１ステップ毎に回転させる。
【００３７】
この状態でコード挿通孔１１,１１からコード６を所望長さ自動的に引っ張り出すと、押爪２７の山部に対して歩進爪２６の谷部が移動する距離だけ、コード６は引き出される。
【００３８】
そして、押圧部１４の押圧を停止すると、スプリング１５の付勢力により押圧部１４は矢印Ｐ′方向へ旧位に降下し、押爪２７から歩進爪２６が離れるとともに係合機構２２のリール部材１２の内周下面に所望個数設けた係合凸部２３が外装ケース５の内面下部に所望個数設けられた係合凹部２４に係合されることによりリール部材１２および押圧部１４の回転を拘束するとともに係合凸部２３と係合凹部２４とは係合時に斜面部相互がすることにより歩進爪２６と押爪２７との斜面部の先端部がラップ間隔ｄを確保し、図５に示す状態になり、使用に供される。
【００３９】
さらに、外装ケース５から出ているコード６の長さが使用により短くなると、原動機３の駆動を停止して押圧部１４をスプリング１５の付勢力に抗して指等で押すと、係合機構２２のリール部材１２の内周下面に所望個数設けた係合凸部２３が外装ケース５の内面下部に所望個数設けられた係合凹部２４から係合が解除されることによりリール部材１２および押圧部１４の回転が許容されるとともに、歩進機構２５の鋸刃状の押爪２７の斜面部を歩進爪２６の斜面部がラップ間隔ｄだけ当接して押圧する反動でリール部材１２は矢印Ｆ方向に回転し、コード６は引き出し状態になる。
【００４０】
この状態で、短くなったコード６の両端を引っ張ると、押爪２７の斜面部に対して歩進爪２６の斜面部が移動する距離だけ、コード６は引き出され、使用に供される。
【００４１】
そして、鋸刃状の押圧部１４の押圧を停止すると、スプリング１５の付勢力により押圧部１４は旧位に降下し、押爪２７の斜面部が歩進爪２６の斜面部に噛合するとともにリール部材１２の内周下面に所望個数設けた係合機構２２の係合凸部２３が外装ケース５の内面下部に所望個数設けられた係合凹部２４に係合されることによりリール部材１２および押圧部１４の回転は拘束される。
【００４２】
また、前述のように、特許文献１に記載の従来の刈払機のコード繰り出し装置では、外装ケースが周壁をなくした扁平な略皿状のケース本体と、筒体を略中央に有する扁平な支持フランジとにより形成されリールが外部から露出する構造のように、埃、土、刈取る草、さらには草等に付着している露が外部からリール内に侵入し易くなるのとは異なり、本実施形態１の外装ケース５は、立壁部９ａを外周に有する扁平な略皿状のケース本体９と、該ケース本体９に着脱可能に被冠して取付けられ、立壁部１０ａを有する扁平な略椀状のケース蓋１０とにより形成されて小さなコード挿通孔１１,１１が設けられているだけで周囲が閉塞されたことにより、埃、土、刈取る草、さらには草等に付着している露が外部からリール内に侵入せずに済むので、外装ケース５を分解してリール部材１２を外部に取出すことなく、使用時にリール部材１２からのコード６の繰出操作や収納操作、しかも刈払機自体の駆動も円滑に行え、故障が少なく、保守、点検が容易になる。
【００４３】
また、本実施形態１の刈払機のコード繰出し装置は、扁平な略皿状のケース本体９と扁平な略椀状のケース蓋１０とによりなる外装ケース５内にリール部材１２、スプリング１５を組入れてねじキャップＮを螺着することにより組付けられるので、容易に製作、組付けが行え、しかも部品点数が少なく、構造簡単である。
【産業上の利用可能性】
【００４４】
本発明の刈払機のコード繰出し装置およびコード繰出し装置におけるコード配索方法は、埃、土、刈取る草等に付着している露が外部からリール内に侵入せずに、使用時にリールからのコードの繰出操作や収納操作、刈払機自体の駆動が円滑に行え、故障が少なく、保守、点検が容易になり、また製作、加工が簡単であり、コードの挿入、導通操作が時間と手間がかからず、迅速かつ確実に行え、また、コードを２層のリールの上下に振り分けて確実に捲回操作するという分野、用途に役立つ。
【図面の簡単な説明】
【００４５】
【図１】図１は本発明の刈払機のコード繰出し装置の実施形態１を示す拡大縦断面図である。
【図２】図２は同じく９０°方向を違えて切断した拡大縦断面図である。
【図３】図３は押圧部を押圧した状態の拡大縦断面図である。
【図４】図４は本実施形態のコード繰出し装置が組込まれる刈払機の全景を示す斜視図である。
【図５】図５は本実施形態１で使用される係合機構と歩進機構とを説明的に示し、コード繰出し装置の不使用時の断面図である。
【図６】図６はリール部材に対するコードの取付時に歩進機構の歩進爪が、外装ケース５の内面上部に形成される押爪に噛合してリール部材の正回転を制止しながら逆方向回転を継続してコードをコード捲回部に捲回する状態の断面図である。
【図７】図７は同じくリール部材の押圧部を押圧して歩進機構の押爪に歩進爪が押圧される反力によりリール部材を歩進し、コードを繰り出す状態の断面図である。
【図８】図８は同じく歩進機構の押爪にリール部材の歩進爪が噛合ってリール部材を歩進する状態の断面図である。
【図９】図９は同じく押圧部の押圧を解除した状態の断面図である。
【図１０】図１０はコードをリール部材に取付ける状態の説明的な正面図である。
【図１１】図１１は同じくコードをリール部材に取付ける状態の説明的な背面図である。
【図１２】図１２は同じくコードをリール部材に取付ける状態の説明的な水平拡大断面図である。
【図１３】図１３はコードをリール部材に捲付ける状態の説明的な正面図である。
【図１４】図１４は同じくコードをリール部材に捲付ける状態の説明的な背面図である。
【図１５】図１５は同じくコードをリール部材に捲付ける状態の水平拡大断面図である。
【符号の説明】
【００４６】
１      コード繰出し装置
２      柄管
３      原動機
４      ギヤーハウジング
５      外装ケース
６      コード
７      主力軸
９      ケース本体
１０    ケース蓋
１１    コード挿通孔
１２    リール部材
１２ａ  フランジ
１２ｂ  フランジ
１２ｃ  中仕切部
１３ａ  コード捲回部
１３ｂ  コード捲回部
１４    押圧部
１５    スプリング
１６    コード案内孔
１７    振分案内手段
１８ａ  スリット状部
１８ｂ  スリット状部
１９    閉鎖壁面
２１    管状止ピン
２２    係合機構
２３    係合凸部
２４    係合凹部
２５    歩進機構
２６    歩進爪
２７    押爪
Ｉ      直径方向
【図１】
2005124501.tif 000003
【図２】
2005124501.tif 000004
【図３】
2005124501.tif 000005
【図４】
2005124501.tif 000006
【図５】
2005124501.tif 000007
【図６】
2005124501.tif 000008
【図７】
2005124501.tif 000009
【図８】
2005124501.tif 000010
【図９】
2005124501.tif 000011
【図１０】
2005124501.tif 000012
【図１１】
2005124501.tif 000013
【図１２】
2005124501.tif 000014
【図１３】
2005124501.tif 000015
【図１４】
2005124501.tif 000016
【図１５】
2005124501.tif 000017